【手続補正書】
【提出日】平成28年2月18日(2016.2.18)
【手続補正１】
【補正対象書類名】特許請求の範囲
【補正対象項目名】全文
【補正方法】変更
【補正の内容】
【特許請求の範囲】
【請求項１】
情報を受信および送信する通信部と、
薬歴情報を個人識別情報に対応付けて記録する記録部と、
制御部とを有し、
前記制御部は、前記通信部により、前記個人識別情報、および前記個人識別情報に対応付けられた前記薬歴情報にアクセスするときに用いる端末装置の登録要求を受信した場合、
前記端末装置を識別する端末識別情報を生成し、
前記個人識別情報に対応付けて前記端末識別情報を前記記録部に記録し、
前記通信部により、前記端末識別情報を送信するよう制御する
薬歴管理装置。
【請求項２】
前記制御部は、前記通信部により、前記個人識別情報および前記端末識別情報と、前記薬歴情報の送信要求とを前記端末装置から受信した場合、
前記通信部により、前記個人識別情報と前記端末識別情報に対応付けられた前記薬歴情報を、前記端末装置に対して送信するよう制御する
請求項１に記載の薬歴管理装置。
【請求項３】
前記制御部は、前記通信部により、前記個人識別情報および前記端末識別情報と、前記薬歴情報へのアクセスの無効化要求とを受信した場合、
受信された前記端末識別情報により識別される前記端末装置による前記薬歴情報へのアクセスを無効化するよう制御する
請求項１に記載の薬歴管理装置。
【請求項４】
前記記録部は、更に、前記個人識別情報および前記端末識別情報に対応付けて、前記端末識別情報により識別される前記端末装置の登録に関する補助情報を記録し、
前記制御部は、前記通信部により、前記個人識別情報と、前記個人識別情報に対応付けられている前記端末識別情報および前記補助情報の送信要求を受信した場合、
前記通信部により、前記端末識別情報および前記補助情報を送信するよう制御する
請求項１に記載の薬歴管理装置。
【請求項５】
前記補助情報は、前記端末装置において入力された文字列である
請求項４に記載の薬歴管理装置。
【請求項６】
前記補助情報は、前記端末装置の所有者の生年、性別、またはユーザに対する続柄の少なくとも何れかである
請求項４に記載の薬歴管理装置。
【請求項７】
前記記録部は、更に、前記端末識別情報の有効期限、または前記端末識別情報の有効化の期限を記録する
請求項１に記載の薬歴管理装置。
【請求項８】
情報を受信および送信する通信部と、
薬歴情報を個人識別情報に対応付けて記録する記録部と、
制御部とを有する薬歴管理装置の薬歴管理方法であって、
前記制御部が、前記通信部により、前記個人識別情報、および前記個人識別情報に対応付けられた前記薬歴情報にアクセスするときに用いる端末装置の登録要求を受信した場合、
前記端末装置を識別する端末識別情報を生成し、
前記個人識別情報に対応付けて前記端末識別情報を前記記録部に記録し、
前記通信部により、前記端末識別情報を送信するよう制御する
ステップを含む薬歴管理方法。
【請求項９】
情報を受信および送信する通信部と、
薬歴情報を個人識別情報に対応付けて記録する記録部と
を有する薬歴管理装置を制御するコンピュータに、
前記通信部により、前記個人識別情報、および前記個人識別情報に対応付けられた前記薬歴情報にアクセスするときに用いる端末装置の登録要求を受信した場合、
前記端末装置を識別する端末識別情報を生成し、
前記個人識別情報に対応付けて前記端末識別情報を前記記録部に記録し、
前記通信部により、前記端末識別情報を送信するよう制御する
ステップを含む処理を実行させるプログラム。
【請求項１０】
個人識別情報に対応付けられた薬歴情報にアクセスする情報処理装置であって、
近距離通信を用いて情報を送信および受信する近距離通信部と、
情報を記録する記録部と、
制御部とを有し、
前記制御部は、前記近距離通信部により、前記個人識別情報、および前記情報処理装置を識別する端末識別情報を取得した場合、前記個人識別情報に対応付けて、前記端末識別情報を前記記録部に記録するよう制御する
情報処理装置。
【請求項１１】
前記情報処理装置は、更に
情報を送信および受信する通信部と、
表示部とを有し、
前記制御部は、
前記通信部により、前記個人識別情報および前記端末識別情報と、薬歴情報の送信要求とを薬歴管理装置に送信し、
前記通信部により、前記送信要求に応じて前記個人識別情報および前記端末識別情報に対応付けられた前記薬歴情報を受信した場合、
前記薬歴情報を前記表示部に表示するよう制御する
請求項１０に記載の情報処理装置。
【請求項１２】
個人識別情報に対応付けられた薬歴情報にアクセスし、
近距離通信を用いて情報を送信および受信する近距離通信部と、
情報を記録する記録部と、
制御部とを有する情報処理装置の情報処理方法であって、
前記制御部が、前記近距離通信部により、前記個人識別情報、および前記情報処理装置を識別する端末識別情報を取得した場合、前記個人識別情報に対応付けて、前記端末識別情報を前記記録部に記録するよう制御する
ステップを含む情報処理方法。
【請求項１３】
個人識別情報に対応付けられた薬歴情報にアクセスし、
近距離通信を用いて情報を送信および受信する近距離通信部と、
情報を記録する記録部とを有する情報処理装置を制御するコンピュータに、
前記近距離通信部により、前記個人識別情報、および前記情報処理装置を識別する端末識別情報を取得した場合、前記個人識別情報に対応付けて、前記端末識別情報を前記記録部に記録するよう制御する
ステップを含む処理を実行させるプログラム。
【請求項１４】
個人識別情報を取得する取得部と、
情報を送信および受信する通信部と、
表示部と、
制御部とを有し、
前記制御部は、
前記通信部により、前記個人識別情報、および前記個人識別情報に対応付けられた薬歴情報にアクセスする要求を薬歴管理装置に対して送信し、
前記通信部により、前記個人識別情報の送信に応じて前記薬歴管理装置により生成された端末識別情報を受信した場合、
前記端末識別情報を前記表示部に表示するよう制御する
情報処理装置。
【請求項１５】
前記制御部は、前記通信部により、前記個人識別情報および前記端末識別情報と、前記端末識別情報により識別される端末装置による、前記個人識別情報に対応付けられている前記薬歴情報へのアクセスの無効化の要求とをさらに送信するよう制御する
請求項１４に記載の情報処理装置。
【請求項１６】
前記制御部は、
前記通信部により、前記個人識別情報に対応付けられている前記端末識別情報および補助情報を前記薬歴管理装置から受信した場合、
前記通信部により、前記端末識別情報および前記補助情報により特定される端末装置のアクセスの無効化の要求を送信するよう制御する
請求項１４に記載の情報処理装置。
【請求項１７】
個人識別情報を取得する取得部と、
情報を送信および受信する通信部と、
表示部と、
制御部とを有する情報処理装置の情報処理方法であって、
前記制御部が、
前記通信部により、前記個人識別情報、および前記個人識別情報に対応付けられた薬歴情報にアクセスする要求を薬歴管理装置に対して送信し、
前記通信部により、前記個人識別情報の送信に応じて前記薬歴管理装置により生成された端末識別情報を受信した場合、
前記端末識別情報を前記表示部に表示するよう制御する
ステップを含む情報処理方法。
【請求項１８】
個人識別情報を取得する取得部と、
情報を送信および受信する通信部と、
表示部とを有する情報処理装置を制御するコンピュータに、
前記通信部により、前記個人識別情報、および前記個人識別情報に対応付けられた薬歴情報にアクセスする要求を薬歴管理装置に対して送信し、
前記通信部により、前記個人識別情報の送信に応じて前記薬歴管理装置により生成された端末識別情報を受信した場合、
前記端末識別情報を前記表示部に表示するよう制御する
ステップを含む処理を実行させるプログラム。
【手続補正２】
【補正対象書類名】明細書
【補正対象項目名】発明の名称
【補正方法】変更
【補正の内容】
【発明の名称】薬歴管理装置および方法、情報処理装置および方法、並びにプログラム
【手続補正３】
【補正対象書類名】明細書
【補正対象項目名】０００１
【補正方法】変更
【補正の内容】
【０００１】
本技術は薬歴管理装置および方法、情報処理装置および方法、並びにプログラムに関し、特に、セキュリティを向上させるとともに、利便性も向上させることができるようにした薬歴管理装置および方法、情報処理装置および方法、並びにプログラムに関する。
【手続補正４】
【補正対象書類名】明細書
【補正対象項目名】００１１
【補正方法】変更
【補正の内容】
【００１１】
本技術の第１の側面の薬歴管理装置は、情報を受信および送信する通信部と、薬歴情報を個人識別情報に対応付けて記録する記録部と、制御部とを有し、前記制御部は、前記通信部により、前記個人識別情報、および前記個人識別情報に対応付けられた前記薬歴情報にアクセスするときに用いる端末装置の登録要求を受信した場合、前記端末装置を識別する端末識別情報を生成し、前記個人識別情報に対応付けて前記端末識別情報を前記記録部に記録し、前記通信部により、前記端末識別情報を送信するよう制御する。
【手続補正５】
【補正対象書類名】明細書
【補正対象項目名】００１２
【補正方法】変更
【補正の内容】
【００１２】
前記制御部には、前記通信部により、前記個人識別情報および前記端末識別情報と、前記薬歴情報の送信要求とを前記端末装置から受信した場合、前記通信部により、前記個人識別情報と前記端末識別情報に対応付けられた前記薬歴情報を、前記端末装置に対して送信するよう制御させることができる。
【手続補正６】
【補正対象書類名】明細書
【補正対象項目名】００１３
【補正方法】変更
【補正の内容】
【００１３】
前記制御部には、前記通信部により、前記個人識別情報および前記端末識別情報と、前記薬歴情報へのアクセスの無効化要求とを受信した場合、受信された前記端末識別情報により識別される前記端末装置による前記薬歴情報へのアクセスを無効化するよう制御させることができる。
【手続補正７】
【補正対象書類名】明細書
【補正対象項目名】００１４
【補正方法】変更
【補正の内容】
【００１４】
前記記録部には、更に、前記個人識別情報および前記端末識別情報に対応付けて、前記端末識別情報により識別される前記端末装置の登録に関する補助情報を記録させ、前記制御部には、前記通信部により、前記個人識別情報と、前記個人識別情報に対応付けられている前記端末識別情報および前記補助情報の送信要求を受信した場合、前記通信部により、前記端末識別情報および前記補助情報を送信するよう制御させることができる。
【手続補正８】
【補正対象書類名】明細書
【補正対象項目名】００１５
【補正方法】変更
【補正の内容】
【００１５】
前記補助情報を、前記端末装置において入力された文字列とすることができる。
【手続補正９】
【補正対象書類名】明細書
【補正対象項目名】００１６
【補正方法】変更
【補正の内容】
【００１６】
前記補助情報を、前記端末装置の所有者の生年、性別、またはユーザに対する続柄の少なくとも何れかとすることができる。
【手続補正１０】
【補正対象書類名】明細書
【補正対象項目名】００１７
【補正方法】変更
【補正の内容】
【００１７】
前記記録部には、更に、前記端末識別情報の有効期限、または前記端末識別情報の有効化の期限を記録させることができる。
【手続補正１１】
【補正対象書類名】明細書
【補正対象項目名】００１８
【補正方法】変更
【補正の内容】
【００１８】
本技術の第１の側面の情報処理方法またはプログラムは、情報を受信および送信する通信部と、薬歴情報を個人識別情報に対応付けて記録する記録部とを有する薬歴管理装置の薬歴管理方法またはプログラムであって、前記通信部により、前記個人識別情報、および前記個人識別情報に対応付けられた前記薬歴情報にアクセスするときに用いる端末装置の登録要求を受信した場合、前記端末装置を識別する端末識別情報を生成し、前記個人識別情報に対応付けて前記端末識別情報を前記記録部に記録し、前記通信部により、前記端末識別情報を送信するよう制御するステップを含む。
【手続補正１２】
【補正対象書類名】明細書
【補正対象項目名】００１９
【補正方法】変更
【補正の内容】
【００１９】
本技術の第１の側面においては、情報を受信および送信する通信部と、薬歴情報を個人識別情報に対応付けて記録する記録部とを有する薬歴管理装置において、前記通信部により、前記個人識別情報、および前記個人識別情報に対応付けられた前記薬歴情報にアクセスするときに用いる端末装置の登録要求を受信した場合、前記端末装置を識別する端末識別情報が生成され、前記個人識別情報に対応付けられて前記端末識別情報が前記記録部に記録され、前記通信部により、前記端末識別情報を送信するよう制御される。
【手続補正１３】
【補正対象書類名】明細書
【補正対象項目名】００２０
【補正方法】変更
【補正の内容】
【００２０】
本技術の第２の側面の情報処理装置は、個人識別情報に対応付けられた薬歴情報にアクセスする情報処理装置であって、近距離通信を用いて情報を送信および受信する近距離通信部と、情報を記録する記録部と、制御部とを有し、前記制御部は、前記近距離通信部により、前記個人識別情報、および前記情報処理装置を識別する端末識別情報を取得した場合、前記個人識別情報に対応付けて、前記端末識別情報を前記記録部に記録するよう制御する。
【手続補正１４】
【補正対象書類名】明細書
【補正対象項目名】００２１
【補正方法】変更
【補正の内容】
【００２１】
前記情報処理装置には、更に情報を送信および受信する通信部と、表示部とを設け、前記制御部には、前記通信部により、前記個人識別情報および前記端末識別情報と、薬歴情報の送信要求とを薬歴管理装置に送信させ、前記通信部により、前記送信要求に応じて前記個人識別情報および前記端末識別情報に対応付けられた前記薬歴情報を受信した場合、前記薬歴情報を前記表示部に表示するよう制御させることができる。
【手続補正１５】
【補正対象書類名】明細書
【補正対象項目名】００２２
【補正方法】変更
【補正の内容】
【００２２】
本技術の第２の側面の情報処理方法またはプログラムは、個人識別情報に対応付けられた薬歴情報にアクセスし、近距離通信を用いて情報を送信および受信する近距離通信部と、情報を記録する記録部とを有する情報処理装置の情報処理方法またはプログラムであって、前記近距離通信部により、前記個人識別情報、および前記情報処理装置を識別する端末識別情報を取得した場合、前記個人識別情報に対応付けて、前記端末識別情報を前記記録部に記録するよう制御するステップを含む。
【手続補正１６】
【補正対象書類名】明細書
【補正対象項目名】００２３
【補正方法】変更
【補正の内容】
【００２３】
本技術の第２の側面においては、個人識別情報に対応付けられた薬歴情報にアクセスし、近距離通信を用いて情報を送信および受信する近距離通信部と、情報を記録する記録部とを有する情報処理装置において、前記近距離通信部により、前記個人識別情報、および前記情報処理装置を識別する端末識別情報を取得した場合、前記個人識別情報に対応付けて、前記端末識別情報を前記記録部に記録するよう制御される。
【手続補正１７】
【補正対象書類名】明細書
【補正対象項目名】００２４
【補正方法】変更
【補正の内容】
【００２４】
本技術の第３の側面の情報処理装置は、個人識別情報を取得する取得部と、情報を送信および受信する通信部と、表示部と、制御部とを有し、前記制御部は、前記通信部により、前記個人識別情報、および前記個人識別情報に対応付けられた薬歴情報にアクセスする要求を薬歴管理装置に対して送信し、前記通信部により、前記個人識別情報の送信に応じて前記薬歴管理装置により生成された端末識別情報を受信した場合、前記端末識別情報を前記表示部に表示するよう制御する。
【手続補正１８】
【補正対象書類名】明細書
【補正対象項目名】００２５
【補正方法】変更
【補正の内容】
【００２５】
前記制御部には、前記通信部により、前記個人識別情報および前記端末識別情報と、前記端末識別情報により識別される端末装置による、前記個人識別情報に対応付けられている前記薬歴情報へのアクセスの無効化の要求とをさらに送信するよう制御させることができる。
【手続補正１９】
【補正対象書類名】明細書
【補正対象項目名】００２６
【補正方法】変更
【補正の内容】
【００２６】
前記制御部には、前記通信部により、前記個人識別情報に対応付けられている前記端末識別情報および補助情報を前記薬歴管理装置から受信した場合、前記通信部により、前記端末識別情報および前記補助情報により特定される端末装置のアクセスの無効化の要求を送信するよう制御させることができる。
【手続補正２０】
【補正対象書類名】明細書
【補正対象項目名】００２７
【補正方法】変更
【補正の内容】
【００２７】
本技術の第３の側面の情報処理方法またはプログラムは、個人識別情報を取得する取得部と、情報を送信および受信する通信部と、表示部とを有する情報処理装置の情報処理方法またはプログラムであって、前記通信部により、前記個人識別情報、および前記個人識別情報に対応付けられた薬歴情報にアクセスする要求を薬歴管理装置に対して送信し、前記通信部により、前記個人識別情報の送信に応じて前記薬歴管理装置により生成された端末識別情報を受信した場合、前記端末識別情報を前記表示部に表示するよう制御するステップを含む。
【手続補正２１】
【補正対象書類名】明細書
【補正対象項目名】００２８
【補正方法】変更
【補正の内容】
【００２８】
本技術の第３の側面においては、個人識別情報を取得する取得部と、情報を送信および受信する通信部と、表示部とを有する情報処理装置において、前記通信部により、前記個人識別情報、および前記個人識別情報に対応付けられた薬歴情報にアクセスする要求が薬歴管理装置に対して送信され、前記通信部により、前記個人識別情報の送信に応じて前記薬歴管理装置により生成された端末識別情報を受信した場合、前記端末識別情報が前記表示部に表示するよう制御される。
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】